(57)【要約】【課題】外部ケースの制作性と組立生産性を向上させた洗濯機を提供する。【解決手段】骨格をなすボックス型胴体と、前記胴体の上部と下部にそれぞれ結合される上板と下板を含む外部ケースとを具備した洗濯機において、前記胴体の後面下側部を補強する下側補強板と胴体の下部に結合される下板が一体で形成される。よって、部品数が節減できて外部ケースの製造が容易になり組立生産性が向上され、外部ケースの製造時において、下板と下側補強板を構成する鋼板の薄板化が可能になって外部ケースの製造コストが節減できる効果がある。【選択図】図２
2005144150.tif 000002
【特許請求の範囲】
【請求項１】
骨格をなすボックス型胴体と、前記胴体の上部と下部にそれぞれ結合される上板と下板を含む外部ケースとを具備した洗濯機において、
前記胴体の後面下側部を補強する下側補強板と前記下板が一体で形成されたことを特徴とする洗濯機。
【請求項２】
前記胴体の前面部と両側面部は鋼板の折曲成形を通じて一体で形成され、
前記胴体の後面部は、前記下側補強板と、前記両側面部の後端上部に結合される上側補強板と、前記上側補強板と前記下側補強板との間を覆うように両側面部の後面に着脱可能に結合される後面パネルとを含むことを特徴とする請求項１に記載の洗濯機。
【請求項３】
前記下板と前記下側補強板は鋼板の折曲成形を通じて一体型構造で製造されることを特徴とする請求項１に記載の洗濯機。
【請求項４】
骨格をなすボックス型胴体と、前記胴体の上部と下部にそれぞれ結合される上板と下板を含む外部ケースとを備えて洗濯機の外観を形成する外部ケースを具備した洗濯機において、
前記下部板は、後端から上方に折り曲げられた後に所定の長さだけ延長されて、胴体の後面下部の剛性を強化させることを特徴とする洗濯機。
【請求項５】
前記胴体の前面部と両側面部は鋼板の折曲成形を通じて一体で形成され、
前記胴体の後面部は、前記両側面部の後端上部と下部にそれぞれ結合される下側補強板および上側補強板と、前記上側補強板と前記下側補強板との間を覆うように両側面部の後端に着脱可能に結合される後面パネルとを含むことを特徴とする請求項４に記載の洗濯機。
【請求項６】
骨格をなすボックス型胴体と、前記胴体の上部と下部にそれぞれ結合される上板と下板を含む外部ケースとを具備したドラム洗濯機において、
前記胴体の後面下側部を補強する下側補強板と前記下板が一体で形成されたことを特徴とするドラム洗濯機。
【発明の詳細な説明】
【技術分野】
【０００１】
本発明は、洗濯機に関し、特に洗濯機の外部ケースの作製の容易さと組立生産性とを向上させることのできる洗濯機に関する。
【背景技術】
【０００２】
一般的な洗濯機は、骨格をなす外部ケースを具備し、この外部ケースの内部に設けられて洗濯水を張る水槽、洗濯動作のための回転槽またはパルセーター、またこれらを駆動する駆動装置を具備する。
通常的に、洗濯機の外部ケースは、上部と下部が開放されたボックス型胴体と、前記胴体の上部を覆う上板と、前記胴体の下部に結合される下板とを含み、前記下板には洗濯機を支持するための複数の支持脚が結合される構造で形成される。
また、外部ケースの胴体は前面部と両側面部が鋼板の折曲成形を通じて一体で形成される。前記胴体の後面部は、その両端が側面部の後端上部に結合される上側補強板と、その両端が側面部の後端下部に結合される下側補強板と、前記上側補強板と下側補強板との間を覆うように両端が側面部の後端に着脱可能に結合される保持補修用の後面パネルとから構成される。
このような洗濯機の外部ケースを製造する際、胴体、上板、下板をそれぞれ別途に製造して溶接、リベット、ねじなどにより結合させる。なお、胴体は鋼板を折り曲げて前面部と両側面部を一体で製造し、後面に結合される上側および下側補強板と後面パネルを同じく別途に製造した後に結合させる。
ところが、従来の洗濯機の外部ケースは多数の部品をそれぞれ別途に製造した後にこれらを相互結合させる方式で製造するため、製造工程が複雑で組立生産性に劣るという問題があった。
【発明の開示】
【発明が解決しようとする課題】
【０００３】
従って、本発明は、前述した従来の問題点を解決するために案出されたものであり、外部ケースをなす複数の部品のうち一部を一体化することにより、外部ケースの製造が容易になり組立生産性を向上させられる洗濯機を提供することにその目的がある。
【課題を解決するための手段】
【０００４】
前記の目的を達成するために、本発明の洗濯機は、骨格をなすボックス型胴体と、前記胴体の上部と下部にそれぞれ結合される上板と下板を含む外部ケースとを具備した洗濯機において、前記胴体の後面下側部を補強する下側補強板と前記下板が一体で形成されたことを特徴とする。
かつ、前記胴体の前面部と両側面部は鋼板の折曲成形を通じて一体で形成され、前記胴体の後面部は、前記下側補強板と、前記両側面部の後端上部に結合される上側補強板と、前記上側補強板と前記下側補強板との間を覆うように両側面部の後端に着脱可能に結合される後面パネルとを含むことを特徴とする。
【発明の効果】
【０００５】
本発明に係る洗濯機は、外部ケースを構成する下板と胴体の後面部の下側補強板が一体で形成されるため、部品数が節減できて外部ケースの製造が容易になる上に組立生産性が向上される効果がある。
さらに、本発明は下板と下側補強板の一体化構成を通じて外部ケースの下部の剛性を従来より強化できるため、外部ケースの製造時に下板と下側補強板を構成する鋼板の薄板化が可能になって外部ケースの製造コストを節減できる効果がある。
【発明を実施するための最良の形態】
【０００６】
以下、本発明に係る好ましい実施形態を添付図面を参照しつつ詳細に説明する。
図１に示したように、本発明が適用された洗濯機は、ドラム洗濯機である。前記洗濯機は、外観をなす外部ケース１０と、洗濯水をはるために外部ケース１０の内部に設置された円筒型水槽２０と、前記水槽２０の内部に回転可能に設置されて表面に多数の通穴が形成された円筒型の回転槽２１とを具備する。かつ、水槽２０と回転槽２１および外部ケース１０の各前面部には、回転槽２１の内部に洗濯物を投入したり内部から取り出せるように外部から回転槽２１の内部が連通している入口２２が形成され、外部ケース１０の前面部には、入口２２の開閉のためのドア２３が設置されている。
【０００７】
なお、前記洗濯機は、水槽２０の内部に洗濯水と洗剤をそれぞれ供給できるように水槽２０の上部に設置される給水制御装置２４および洗剤投入装置２５と、回転槽２１を回転させるために水槽２０の底部と外部ケース１０の底部との間に設置される駆動モータ２６と、洗濯水の排水のために水槽２０の下部に設置される排水ポンプ２７および排水管２８を含む排水装置とを具備する。なお、回転槽２１の内部には、回転槽２１が回転するときに洗濯物と洗濯水を引き上げてから回転槽の底に落下させ得るように、回転槽２１の内面から突き出て回転槽の内面に沿って水平に長く延長される複数のリフター２１ａが設置されている。
【０００８】
また、図２において、洗濯機の外部ケース１０は、上部と下部が開放されたボックス型胴体１１と、前記胴体１１の上部を覆う上板１２と、前記胴体１１の下部に結合される下板１３とを含む。そして、前記下板１３には洗濯機を支持するための複数の支持脚１８が結合される。
【０００９】
また、外部ケース１０の胴体１１は、前面部１１ａと両側面部１１ｂ、１１ｃが鋼板の折曲成形により一体で形成され、胴体１１の後面部は、その両端が側面部１１ｂ、１１ｃの後端上部に結合される上側補強板１４、その両端が側面部１１ｂ、１１ｃの後端下部に結合される下側補強板１６、上側補強板１４と下側補強板１６との間を覆うように両端が側面部１１ｂ、１１ｃの後端に着脱可能に結合される後面パネル１５とから構成される。この際、胴体の側面部１１ｂ、１１ｃのそれぞれの後端には上側補強板１４、後面パネル１５、下側補強板１６が結合できるように折り曲げられた結合部１１ｄが設けられる。
【００１０】
さらに、本発明による洗濯機の外部ケース１０は、外部ケースをなす部品数を減らすと共に外部ケース１０を容易に制作できるように、胴体１１の後面部の下側補強板１６と胴体１０の下部に結合される下板１３が鋼板の折曲成形により一体で形成される。すなわち、下側補強板１６は、下板１３を製造する過程で下板１３の後端から上方に折り曲げられた後に所定長さだけ延長される形となる。
【００１１】
前記外部ケース１０の構成は、下板１３と下側補強板１６が一体で構成されることにより、外部ケース１０の部品数を減らせて、外部ケース１０の制作がさらに容易になり、外部ケース１０の組立時に必要な労働者の数を減らして組立生産性が向上される。
本発明によるドラム洗濯機において、下板１３と下側補強板１６を一体で形成することにより、外部ケースの下板と下側補強板が別途に設けられた従来の洗濯機に比べて下部の剛性が構造的に強化され得る。すなわち、外部ケース１０の下板１３と下側補強板１６を製造する際、従来と同一な程度の剛性を保持しながらも鋼板の厚さを従来の８０％水準に縮めることができて、製造コストを節減できる。
【００１２】
前述したように、本発明による洗濯機は、外部ケースを構成する下板と胴体の後面部の下側補強板が一体で形成されるため、部品数が節減できて外部ケースの製造が容易になる上に組立生産性が向上される効果がある。
さらに、本発明は下板と下側補強板の一体化構成を通じて外部ケースの下部の剛性を従来より強化できるため、外部ケースの製造時に下板と下側補強板を構成する鋼板の薄板化が可能になって、外部ケースの製造コストを節減できる効果がある。
【００１３】
以上、本発明を具体的な実施形態に上げて説明してきたが、本発明の思想を外れない範囲内で様々な変形が可能であることは当業者にとって自明であり、従って、本発明の範囲は特許請求の範囲及びその請求の範囲と均等なものによって定められるべきである。
【図面の簡単な説明】
【００１４】
【図１】本発明による洗濯機の構成を示した断面図である。
【図２】本発明による洗濯機の外部ケースの構成を示した分解斜視図である。
【符号の説明】
【００１５】
１０…外部ケース
１１…胴体
１２…上板
１３…下板
１１ａ…前面部
１１ｂ，１１ｃ…両側面部
１４…上側補強板
１５…後面パネル
１６…下側補強板
１８…支持脚
２０…水槽
２１…回転槽
２２…入口
２３…ドア
２４…給水制御装置
２５…洗剤投入装置
２６…駆動モータ
２７…排水ポンプ
２８…排水管
【図１】
2005144150.tif 000003
【図２】
2005144150.tif 000004